(57)【要約】      （修正有）【課題】短い時間内でかつ骨に圧迫を与えすぎないで骨の中ぐりを可能にする中ぐり具を提供する。【解決手段】1本の長く延びる中空軸棒１０、角度付きで安定する方法で回転駆動手段に取付くよう合わせられる第１端部、心棒１４の第１端部が回転接合に関して回転駆動手段の駆動心棒に合わせられる場合に、軸棒の中で回転可能に支持されるとともに、第１端部とともに軸棒の取付け端部まで、また同時に、軸棒の他端を越えて第２端部とともに伸びる１本の心棒、第１端部で心棒の第２端部に横方向に接合可能な可撓性で長く伸びる１本の部材、そして、可撓性部材１８の他端に硬質材料からなる外形部材２２、が含まれる骨腔あるいは骨中空部導管の中ぐり用具。【選択図】図２
2006167453.tif 000002
【特許請求の範囲】
【請求項１】
1本の長く延びる中空軸棒（１０）、角度付きで安定する方法で回転駆動手段に取付くよう合わせられる第１端部、心棒（１４）の第１端部が回転接合に関して回転駆動手段の駆動心棒に合わせられる場合に、軸棒（１０）の中で回転可能に支持されるとともに、第１端部とともに軸棒（１０）の取付け端部まで、同時に、軸棒（１０）の他端を越えて第２端部とともに伸びる１本の心棒（１４）、第１端部で、心棒（１４）の第２端部に横方向に接合可能な可撓性で長く伸びる１本の部材（１８）そして、可撓性部材（１８）の他端に硬質材料からなる外形部材（２２）が含まれる骨腔あるいは骨中空部導管の中ぐり用具
【請求項２】
心棒（１４）の第２端部が可撓性部材（１８）の端部を受けるための横断方向穴（１６）が見えるとともに、締結ネジ（２０）が横断方向穴（１６）の可撓性部材（１８）の端部を留めるための軸方向のネジ山を切った穴に心棒（１４）の自由端からネジ留め可能であることを特徴とする請求項１による器具
【請求項３】
可撓性部材（１８）が1本の繊維あるいはロープであることを特徴とする請求項１あるいは請求項２による器具
【請求項４】
可撓性部材（１８）がプラスチック製あるいは金属製であることを特徴とする請求項１から請求項３までのいずれかによる器具
【請求項５】
外形部材（２２）が金属製でかつ鋭利な刃を見せることを特徴とする請求項１から請求項４までのいずれかによる器具
【請求項６】
様々な長さの一組の心棒（１４）が提供されることを特徴とする請求項１から請求項５までのいずれかによる器具
【請求項７】
心棒（１４）がその長さの少なくとも一部にわたり可撓性であることを特徴とする請求項１から請求項６までのいずれかによる器具
【発明の詳細な説明】
【利用分野】
【０００１】
本発明は請求項１による骨腔部中ぐり用具に関する。
【従来技術】
【０００２】
特に腫瘍に冒された骨に関しては、ガン性物質が除去される必要がある。この目的に対して、冒された骨の切開部からスプーンですくいだすことが知られている。この方法は骨が折れるだけでなく肉部と組織を通過する治療場所への接近方法が必要とされる。
【０００３】
さらに、ドリルまたは中ぐり装置によって骨の中空部を軸方向に中ぐりするとともに、吸引によってばらばらになった物質を除去することが知られている。しかしながら、ドリリングは生ずる圧力のせいで骨の皮質部の厳しい圧迫につながる。
【発明の開示】
【０００４】
本発明は短い時間内でかつ骨に圧迫を与えすぎないで効率的に骨の中ぐりを可能にする、骨腔部、例えば、骨中空部導管の中ぐり用具を生み出す課題を元にしている。
【解決手段】
【０００５】
この課題は請求項１の特色によって解決される。
【０００６】
本発明の器具では長くした中空の軸棒が設けられる。この軸棒はその長さ方向に一様な直径であるとともに、回転駆動手段に回転可能なように固定できるよう留め金で留められる延長部を持つことができる。長く延ばされた軸棒にはその長さ方向に一定の直径をもつことが可能な軸方向の貫通孔が設けられる。該軸棒は適切な金属あるいはプラスチックで作ることができる。
【０００７】
軸棒は該軸棒で回転可能に支持される心棒用の軸受けおよび軸受け箱として使われる。好ましくは、心棒は軸の軸方向の動きに対して固定される点が注意される。心棒の一端は軸棒の留め端の方向に延びるとともに、回転駆動手段の駆動心棒と接合可能であるように合わされる。心棒の他端は軸棒の対応する端部を越えて伸びる。特にプラスチック製あるいは金属製で、例えば、繊維またはロープ状の１本の長くなった可撓性部材が心棒の自由端に横方向から接合される。硬質材料からなる外形部材が可撓性部材の他端に接合される。
【０００８】
使用の際、このような器具あるいは道具が回転駆動手段の軸棒の一端に留め金で留められる。これはその駆動心棒が心棒の対応する端部と自動的に回転噛合になるように設計可能である。回転駆動手段は同時に本発明の道具向けの誘導部として役立つ。もし、回転駆動手段が作動状態に設定されると、心棒が回転するとともに、このように外形部材が心棒の軸廻りに環状に吊される。金属製であることが好ましく、鋭利な刃が設けられている該外形部材がガンにかかった骨を中ぐりするとともに、スポンジ状の物質をばらばらにするため、これを適切な、例えば適切な吸引装置付きの対策手段によって骨の外に除去可能である。吸引装置はまた本発明の道具との一体化も可能であると理解しなくてはならない。
【０００９】
可撓性部材を固定するために、本発明の１局面では心棒の第２端部には可撓性部材の対応する端部を受けるための横断方向の穴を設けることが考えられる。締結ネジは心棒の自由端からネジの切られた穴にネジ留めされるとともに、横断方向の穴の可撓性部材の対応する端部に留め金で留められる。異なる長さの可撓性部材あるいは異なる長さで留められる可撓性部材が、骨の中の中ぐりの直径に合わせて使用可能であると理解しなくてはならない。
【００１０】
可撓性部材はプラスチックあるいは金属から構成可能である。心棒は可撓性のものが可能であるとともに、様々な長さの一組の心棒を様々な中ぐり長さに合わせて設けることができる。
【図面の詳細な説明】
【００１１】
図１および図２において、円筒形断面であり、その長さの大部分にわたり一定の外径を示す長くなった軸棒１０が見える。右端部に対し、軸棒２０（１０？）は拡大した断面１２が見える。この断面は、図示はされていないが、角度付きで安定する方法で、示されない回転駆動手段に取付け可能である。軸棒１０は端部から端部までの軸方向ひとつの穴（見えないが）を示す。この貫通穴は図１および図２の軸棒１０内部でその長さの大部分について、すなわち、断面１２まで及ぶ心棒１４を受け入れる。心棒１４の右端は回転駆動手段の示されない被駆動心棒に回転接合で結合可能なように形成される（図示されず）。心棒１４の左端は軸棒１０の左端を通り越す。最後の部分で、心棒１４の自由端は横断方向の穴１６が見える。該穴は可撓性部材１８の対応する端部を受ける。心棒１４の自由端部分の自由端から出発して、ネジの切られた穴がひとつ軸方向の仕方で（見えない）形成され、この穴に締結ネジ２０がネジ留めされる。締結ネジ２０によって、可撓性部材が横断方向穴１６に留められる。
【００１２】
もし、図１および図２に示される器具が回転駆動手段に取付けられるならば、また、もし、これが作動状態に設定されるならば、心棒１４は軸棒１０の中で回転するとともに、図面の面に垂直な面の可撓性部材１８の他端部で外形部材２２をこのように吊す。金属製で比較的鋭利な刃が設けられた外形部材２２は、示される器具が、例えば、腫瘍に冒されている骨腔または骨部導管内に挿入される場合に、これによって骨腔あるいは骨部導管を中ぐりする。
【図面の簡単な説明】
【００１３】
以下に、本発明がある実施例によってさらに詳しく図示される。
【図１】：本発明器具の側面図を示す。
【図２】：９０度回転した位置の図１の器具を示す。
【図１】
2006167453.tif 000003
【図２】
2006167453.tif 000004